(57)【特許請求の範囲】
【請求項１】
複数のレンズ群を有し、
前記複数のレンズ群は、
物体側から順に、
負の第１レンズ群と、
正の第２レンズ群と、
負の第３レンズ群と、
正の第４レンズ群とからなり、
変倍時には前記各レンズ群の空気間隔が可変であり、
前記第１レンズ群は正レンズを１つ含み、
前記第２レンズ群は負レンズを１つ含み、
前記第３レンズ群は１又は２つのレンズ成分からなり、
前記第４レンズ群は１つのレンズ成分からなり、
以下の条件式（１）と条件式（２−１）と条件式（２１）を満足することを特徴とする結像光学系。
０＜Ｍ3／Ｍ2＜０．５５      ・・・（１）
０．７＜ｆ4／｜ｆ3｜＜２      ・・・（２−１）
０．４＜（Ｒ4F＋Ｒ4R）／（Ｒ4F−Ｒ4R）＜１．６          ・・・（２１）
ここで、
Ｍ2は、広角端から望遠端にかけての無限遠物点合焦時における前記第２レンズ群の移動量、
Ｍ3は、広角端から望遠端にかけての無限遠物点合焦時における前記第３レンズ群の移動量であり、
ｆ3は前記第３レンズ群の合成焦点距離、
ｆ4は前記第４レンズ群の合成焦点距離、
Ｒ4Fは前記第４レンズ群の物体側の面の光軸上の曲率半径、
Ｒ4Rは前記第４レンズ群の像側の面の光軸上の曲率半径であり、
前記レンズ成分とは、単レンズもしくは接合レンズをいう。
【請求項２】
前記第２レンズ群に関し、以下の条件式（４）を満足することを特徴とする請求項１に記載の結像光学系。
−０．８＜β2w＜−０．４０７      ・・・（４）
ここで、β2wは広角端における無限遠物点合焦時の前記第２レンズ群の合成倍率である。
【請求項３】
前記第２レンズ群から前記第４レンズ群に関し、以下の条件式（３）を満足することを特徴とする請求項１又は請求項２に記載の結像光学系。
−０．９＜β234w＜−０．４      ・・・（３）
ここで、β234wは広角端における無限遠物点合焦時の前記第２レンズ群から前記第４レンズ群までの合成倍率である。
【請求項４】
前記第４レンズ群は、変倍時に移動しないことを特徴とする請求項１から請求項３のいずれか１項に記載の結像光学系。
【請求項５】
前記第３レンズ群の最も物体側に負レンズ成分が配置され、
以下の条件式（１７）を満足することを特徴とする請求項１から請求項４のいずれか１項に記載の結像光学系。
０．５＜（Ｒ3F＋Ｒ3R）／（Ｒ3F−Ｒ3R）＜２．４      ・・・（１７）
ここで、
Ｒ3Fは前記第３レンズ群の最も物体側にある前記負レンズ成分の物体側面の光軸上の曲率半径、
Ｒ3Rは前記第３レンズ群の最も物体側にある前記負レンズ成分の像側面の光軸上の曲率半径、
である。
【請求項６】
前記第４レンズ群が以下の条件式（２０）を満足することを特徴とする請求項１から請求項５のいずれか１項に記載の結像光学系。
０．２＜ｆw／ｆ4＜０．６      ・・・（２０）
ここで、
ｆ4は前記第４レンズ群の合成焦点距離、
ｆwは広角端における前記結像光学系の全系の合成焦点距離、
である。
【請求項７】
請求項１から請求項６のいずれか一項に記載の結像光学系と、
電子撮像素子と、前記結像光学系を通じて結像した像を前記電子撮像素子で撮像することによって得られた画像データを加工して像の形状を変化させた画像データとして出力する画像処理手段とを有し、
前記結像光学系が、無限遠物点合焦時に次の条件式（Ａ）を満足することを特徴とする電子撮像装置。
０．７＜ｙ07／（ｆｗ・ｔａｎω07w）＜０．９７      …（Ａ）
但し、ｙ07は前記電子撮像素子の有効撮像面内（撮像可能な面内）で中心から最も遠い点までの距離（最大像高）をｙ10としたときｙ07＝０．７・ｙ10として表される。また、ω07wは広角端における前記撮像面上の中心からｙ07の位置に結ぶ像点に対応する主光線が物点側で光軸となす角度、ｆｗは広角端における前記結像光学系の全系の焦点距離である。
【発明の詳細な説明】
【技術分野】
【０００１】
本発明は、結像光学系、特にレンズ交換式カメラ用交換レンズに適した光学系、及びそれを有する電子撮像装置に関するものである。
【背景技術】
【０００２】
近年、撮像素子の高画素数化やデジタル画像処理技術の進展により、銀塩３５ｍｍフィルムカメラからデジタルカメラにとって代わった。また、ファインダーとして用いられる小型の液晶パネルの画素数も増えてきたため、レンズ交換式カメラもいわゆる一眼レフレックス方式からクイックリターンミラーを廃止した新しいコンセプトのカメラに移行しつつある。
【０００３】
これにより、バックフォーカスのある程度短い小型で高性能な撮像光学系の設計が可能となった。また、得られるファインダー像の大きさがレンズの結像サイズ、すなわちイメージサークル径に依存するといった制約がなくなる。このため、撮像フォーマットサイズが小さくても大きなファインダー像が得られ、加えて小型で高性能な撮像光学系の設計が可能となっている。
【０００４】
一方、バックフォーカスが短く撮像フォーマットの小さなカメラとしてレンズ固定式の小型カメラ、通称コンパクトカメラが普及している。これらのカメラに適したズーム光学系は、たとえば特開２００２−４８９７５号公報（特許文献１）、特開２００２−３６５５４５号公報（特許文献２）、特開２００３−１４００４３号公報（特許文献３）などに実施例として記載されている。
【０００５】
これらは、物体側から順に、負レンズ群、正レンズ群、正レンズ群の３つのレンズ群からなる。このズーム構成は、最も基本的なタイプである、いわゆる２群ズームレンズ（負レンズ群、正レンズ群の２つのレンズ群からなるズームレンズ）の像側に正の第３レンズ群を加えることで、全長が長くなりがちな広角端における全長を短くしつつも変倍率を有利にしている。
【０００６】
また、これ以上の群数にしてもその効果は少なく、特開２００３−１３１１３０号公報（特許文献４）、特開２００８−２３３６１１号公報（特許文献５）など、物体側から順に、負レンズ群、正レンズ群、負レンズ、正レンズ群の４つのレンズ群からなる通称コンパクトカメラ用のズーム光学系も提案されている。
結局、前記３群構成がポピュラーなタイプとして落ち着いている。
【０００７】
ここで、レンズ交換式光学系は、光学全長よりもレンズ系総厚が重要であることやカメラ取り付けフランジ面からの突出量の制限などから、ある程度以上のバックフォーカス長が必要である。
【０００８】
一方で、レンズ交換式カメラによる画質は、通称コンパクトカメラのそれよりも高いレベルが要求される。このため、画素数の確保上、ある程度のサイズのフォーマットを用いる必要がある。
なお、近年の固体撮像素子の画素サイズは銀塩粒子よりも小さい。このため、１３５フォーマットやＡＰＳ−Ｃより小さくても十分な画質が得られる。
【先行技術文献】
【特許文献】
【０００９】
【特許文献１】特開２００２−４８９７５号公報
【特許文献２】特開２００２−３６５５４５号公報
【特許文献３】特開２００３−１４００４３号公報
【特許文献４】特開２００３−１３１１３０号公報
【特許文献５】特開２００８−２３３６１１号公報
【発明の概要】
【発明が解決しようとする課題】
【００１０】
バックフォーカスや撮像素子フォーマットが大きく異なると、光学系の態様も大きく異なってくることが知られている。事実、上述の先行技術文献に開示された光学系を基にしてバックフォーカスを多少長くすることを考えた場合、正の第３レンズ群のパワーが強くなるほど正の第２レンズ群の焦点距離や倍率の絶対値が大きくなる。これにより、変倍による第２レンズ群の移動量が大きくなってしまう。これは、小型化、薄型化に逆行する。したがって、ある程度のバックフォーカス長や撮像素子フォーマットサイズに適した光学系を提供していく必要がある。
【００１１】
本発明は、上記に鑑みてなされたものであって、特に画角７５°〜２８°度で、バックフォーカスが広角端焦点距離程度の高い結像性能を有する小型で薄型の結像光学系及びそれを有する電子撮像装置を提供することを目的とする。
【課題を解決するための手段】
【００１２】
上述した課題を解決し、目的を達成するために、本発明にしたがう結像光学系は、
複数のレンズ群を有し、
前記複数のレンズ群は、
物体側から順に、
負の第１レンズ群と、
正の第２レンズ群と、
負の第３レンズ群と、
正の第４レンズ群とからなり、
変倍時には前記各レンズ群の空気間隔が可変であり、
前記第１レンズ群は正レンズを１つ含み、
前記第２レンズ群は負レンズを１つ含み、
前記第３レンズ群は１又は２つのレンズ成分からなり、
前記第４レンズ群は１つのレンズ成分からなり、
以下の条件式（１）と条件式（２−１）と条件式（２１）を満足することを特徴とする。
０＜Ｍ3／Ｍ2＜０．５５      ・・・（１）
０．７＜ｆ4／｜ｆ3｜＜２      ・・・（２−１）
０．４＜（Ｒ4F＋Ｒ4R）／（Ｒ4F−Ｒ4R）＜１．６          ・・・（２１）
ここで、
Ｍ2は、広角端から望遠端にかけての無限遠物点合焦時における前記第２レンズ群の移動量、
Ｍ3は、広角端から望遠端にかけての無限遠物点合焦時における前記第３レンズ群の移動量であり、
ｆ3は前記第３レンズ群の合成焦点距離、
ｆ4は前記第４レンズ群の合成焦点距離、
Ｒ4Fは前記第４レンズ群の物体側の面の光軸上の曲率半径、
Ｒ4Rは前記第４レンズ群の像側の面の光軸上の曲率半径であり、
レンズ成分とは、単レンズもしくは接合レンズをいう。
【００１３】
また、他の側面において本発明にしたがう電子撮像装置は、
上述の結像光学系と、
電子撮像素子と、前記結像光学系を通じて結像した像を前記電子撮像素子で撮像することによって得られた画像データを加工して像の形状を変化させた画像データとして出力する画像処理手段とを有し、
前記結像光学系が、無限遠物点合焦時に次の条件式（Ａ）を満足することを特徴とする。
０．７＜ｙ07／（ｆｗ・ｔａｎω07w）＜０．９７      …（Ａ）
但し、ｙ07は前記電子撮像素子の有効撮像面内（撮像可能な面内）で中心から最も遠い点までの距離（最大像高）をｙ10としたときｙ07＝０．７・ｙ10として表される。また、ω07wは広角端における前記撮像面上の中心からｙ07の位置に結ぶ像点に対応する主光線が物点側で光軸となす角度、ｆｗは広角端における前記結像光学系の全系の焦点距離である。
【発明の効果】
【００１４】
本発明によれば、特に画角７５°〜２８°程度で、バックフォーカスが広角端焦点距離程度の高い結像性能を有する小型で薄型の結像光学系及びそれを有する電子撮像装置を提供することができる。
【図面の簡単な説明】
【００１５】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】本発明の実施例２にかかるズームレンズの（ａ）は広角端、（ｂ）は中間、（ｃ）は望遠端における無限遠物点合焦時の光学構成を示す光軸に沿う断面図である。
【図４】実施例２にかかるズームレンズの無限遠物点合焦時における球面収差、非点収差、歪曲収差、倍率色収差を示す図であり、（a）は広角端、（b）は中間、（c）は望遠端での状態を示している。
【図５】本発明の実施例３にかかるズームレンズの（ａ）は広角端、（ｂ）は中間、（ｃ）は望遠端における無限遠物点合焦時の光学構成を示す光軸に沿う断面図である。
【図６】実施例３にかかるズームレンズの無限遠物点合焦時における球面収差、非点収差、歪曲収差、倍率色収差を示す図であり、（a）は広角端、（b）は中間、（c）は望遠端での状態を示している。
【図７】本発明の実施例４にかかるズームレンズの（ａ）は広角端、（ｂ）は中間、（ｃ）は望遠端における無限遠物点合焦時の光学構成を示す光軸に沿う断面図である。
【図８】実施例４にかかるズームレンズの無限遠物点合焦時における球面収差、非点収差、歪曲収差、倍率色収差を示す図であり、（a）は広角端、（b）は中間、（c）は望遠端での状態を示している。
【図９】本発明の実施例５にかかるズームレンズの（ａ）は広角端、（ｂ）は中間、（ｃ）は望遠端における無限遠物点合焦時の光学構成を示す光軸に沿う断面図である。
【図１０】実施例５にかかるズームレンズの無限遠物点合焦時における球面収差、非点収差、歪曲収差、倍率色収差を示す図であり、（a）は広角端、（b）は中間、（c）は望遠端での状態を示している。
【図１１】本発明の実施例６にかかるズームレンズの（ａ）は広角端、（ｂ）は中間、（ｃ）は望遠端における無限遠物点合焦時の光学構成を示す光軸に沿う断面図である。
【図１２】実施例６にかかるズームレンズの無限遠物点合焦時における球面収差、非点収差、歪曲収差、倍率色収差を示す図であり、（a）は広角端、（b）は中間、（c）は望遠端での状態を示している。
【図１３】本発明の実施例７にかかるズームレンズの（ａ）は広角端、（ｂ）は中間、（ｃ）は望遠端における無限遠物点合焦時の光学構成を示す光軸に沿う断面図である。
【図１４】実施例７にかかるズームレンズの無限遠物点合焦時における球面収差、非点収差、歪曲収差、倍率色収差を示す図であり、（a）は広角端、（b）は中間、（c）は望遠端での状態を示している。
【図１５】本発明によるズーム光学系を組み込んだデジタルカメラ４０の外観を示す前方斜視図である。
【図１６】デジタルカメラ４０の後方斜視図である。
【図１７】デジタルカメラ４０の光学構成を示す断面図である。
【図１８】本発明のズーム光学系が対物光学系として内蔵された情報処理装置の一例であるパソコン３００のカバーを開いた状態の前方斜視図である。
【図１９】パソコン３００の撮影光学系３０３の断面図である。
【図２０】パソコン３００の側面図である。
【図２１】本発明のズーム光学系が撮影光学系として内蔵された情報処理装置の一例である携帯電話を示す図であり、（a）は携帯電話４００の正面図、（b）は側面図、（c）は撮影光学系４０５の断面図である。
【発明を実施するための形態】
【００１６】
以下に、本発明にかかる結像光学系をズーム光学系に適用した実施例を図面に基づいて詳細に説明する。なお、この実施例によりこの発明が限定されるものではない。
すなわち、実施形態の説明に当たって、例示のために特定の詳細な内容が多く含まれるが、これらの詳細な内容に色々なバリエーションや変更を加えても、本発明の範囲を超えない。従って、以下で説明する本発明の例示的な実施形態は、権利請求された発明に対して、一般性を失わせることなく、また、何ら限定をすることもなく、述べられたものである。
まず、実施例の説明に先立ち、本実施形態の結像光学系の作用効果について説明する。
【００１７】
本実施形態のズームレンズは、複数のレンズ群を有し、複数のレンズ群は、物体側から順に、負のレンズ群Ｇ１と、正のレンズ群Ｇ２と、負のレンズ群Ｇ３と、正のレンズ群Ｇ４とからなり、
変倍時には各レンズ群の空気間隔が可変であり、
第１レンズ群となる負のレンズ群Ｇ１は正レンズを１つ含み、
第２レンズ群となる正のレンズ群Ｇ２は負レンズを１つ含み、
第３レンズ群となる負のレンズ群Ｇ３は１又は２つのレンズ成分からなり、
第４レンズ群となる正のレンズ群Ｇ４は１つのレンズ成分からなっている。
【００１８】
特に、ある程度のバックフォーカスが必要なズームレンズとして適するように、先行技術文献に提案されている負レンズ群・正レンズ群・正レンズ群の３つの群からなるズームレンズにおいて、２つの正レンズ群の間に負の第３レンズ群を挿入している。これにより、最終の正レンズ群との合成系としてのパワーが小さくなるように構成することができる。この結果、変倍をつかさどる第２レンズ群の移動量を抑制できる。また、同時に、広角端から望遠端まで変倍する際に、正の第２レンズ群と負の第３レンズ群の間隔が大きくなるように移動させることで望遠側での全長増大を抑制している。これらのことが大きな特徴となっている。
【００１９】
つまり、このような負レンズ群・正レンズ群・負レンズ群・正レンズ群の４群構成が、ある程度のバックフォーカス長や撮像素子フォーマットサイズがある場合の光学系として最も適している。なお、第３レンズ群以降の合成系はパワーが小さくても、非点収差の変動など軸外収差補正効果があるという点で重要である。
【００２０】
ところで、上述の先行技術文献の特開２００３−１３１１３０号公報で提案されている光学系は、物体側から順に負レンズ群、正レンズ群、負レンズ群、正レンズ群の４つのレンズ群からなるものである。この光学系は、元々バックフォーカスの短いコンパクトカメラ向けのズームレンズであるため、前記負の第３レンズ群は正の第４レンズ群のパワーを十分に打ち消す必要はない。また望遠側で全長が増大することもなく、現に考慮されていない。その他の先行技術文献に開示されている光学系も同様である。
【００２１】
一方、本実施形態の場合、ある程度のバックフォーカスを確保しながらも全長短縮や薄型なズームレンズを得ることが目的である。このことから、これによる固有の問題点であるところの望遠側全長増大を抑制することが最大の課題である。
これを解消するために、前記広角端から望遠端まで変倍する際の、正の第２レンズ群と負の第３レンズ群との間隔変化、つまり個々の移動量の関係は以下の条件式（１）を満足するのが好ましい。
０＜Ｍ3／Ｍ2＜０．５５      ・・・（１）
ここで、
Ｍ2は、広角端から望遠端にかけての無限遠物点合焦時における前記第２レンズ群の移動量、
Ｍ3は、広角端から望遠端にかけての無限遠物点合焦時における前記第３レンズ群の移動量であり、
レンズ成分とは、単レンズもしくは接合レンズをいう。
【００２２】
条件式（１）の上限値を上回ると、望遠端における光学全長が増大しやすい。
一方、条件式（１）の下限値を下回ると、所定のレンズ群移動量制限内にて所望のズーム比を得ることが困難となる。そこで敢えて望遠端での全長を短縮したり、所望のズーム比を得ようとしたりすると、特に変倍時におけるコマ収差や非点収差の変動が大きくなりやすい。
【００２３】
なお、条件式（１）に代えて、次の条件式（１’）を満足すると、より好ましい。
０．１＜Ｍ3／Ｍ2＜０．５４      ・・・（１’）
さらに、条件式（１）に代えて、次の条件式（１”）を満足すると、より一層好ましい。
０．２＜Ｍ3／Ｍ2＜０．５２      ・・・（１”）
【００２４】
また、ある程度のバックフォーカスを確保した際の光学全長短縮とズーム比の確保に関し、前記第３レンズ群と第４レンズ群とのパワーの関係は以下の条件式（２）を満足するのが好ましい。
０．５＜ｆ4／｜ｆ3｜＜２      ・・・（２）
ここで、  
ｆ3は前記第３レンズ群の合成焦点距離、
ｆ4は前記第４レンズ群の合成焦点距離、
である。
【００２５】
条件式（２）の上限値を上回ると、全長短縮に伴い変倍時の非点収差の変動など軸外収差が悪化しやすい。
一方、条件式（２）の下限値を下回ると、所定のレンズ群移動量制限内（あるいは光学全長制限内）にて所望のズーム比を得ることが困難となる。
【００２６】
なお、条件式（２）に代えて、次の条件式（２’）を満足すると、より好ましい。
０．６＜ｆ4／｜ｆ3｜＜１．７      ・・・（２’）
さらに、条件式（２）に代えて、次の条件式（２”）を満足すると、より一層好ましい。
０．７＜ｆ4／｜ｆ3｜＜１．４      ・・・（２”）
あるいは、条件式（２）に代えて、次の条件式（２−１）を満足しても良い。
０．７＜ｆ4／｜ｆ3｜＜２      ・・・（２−１）
【００２７】
また、バックフォーカス確保と望遠側における全長増大の抑制に関し、第２レンズ群から第４レンズ群について以下の条件式（３）を満足するのが好ましい。
−０．９＜β234w＜−０．４      ・・・（３）
ここで、β234w は広角端における無限遠物点合焦時の前記第２レンズ群から前記第４レンズ群までの合成倍率である。
【００２８】
ある程度のバックフォーカス量を確保しつつ全長短縮を行なうと、第２レンズ群以降の全ての群の合成倍率が高くなる。すると、望遠側での全長が増大しやすく、たとえ負の第３レンズ群を導入して抑制するにしても、ある程度以内に収めた方が良い。
【００２９】
条件式（３）の下限値を下回ると、望遠側での全長が増大しやすくなる。
一方、条件式（３）の上限値を上回ると、ある程度以上のバックフォーカスの確保が困難となる。そこで敢えて望遠端での全長を短縮したり、所望のバックフォーカス長を得ようとしたりすると、特に変倍時におけるコマ収差や非点収差の変動が大きくなりやすい。
【００３０】
なお、条件式（３）に代えて、次の条件式（３’）を満足すると、より好ましい。
−０．８＜β234w ＜−０．４４      ・・・（３’）
さらに、条件式（３）に代えて、次の条件式（３”）を満足すると、より一層好ましい。
−０．７＜β234w＜−０．４７      ・・・（３”）
【００３１】
また、第２レンズ群の移動量抑制に関し、第２レンズ群の倍率について以下の条件式（４）を満足するのが好ましい。
−０．８＜β2w＜−０．４０７      ・・・（４）
ここで、β2w は広角端無限遠物点合焦時の第２レンズ群の合成倍率である。第２レンズ群の移動量は、これ自身の持つ倍率の絶対値が小さいほど少なくて済む。
条件式（４）の下限値を下回ると第２レンズ群の移動量が大きくなり、全長の制限以内で所望のズーム比を得ることが困難となる。
一方、条件式（４）の上限値を上回ると、ある程度以上のバックフォーカスの確保が困難となる。そこで敢えて望遠端での全長を短縮したり、所望のバックフォーカス長を得ようとしたりすると、特に変倍時におけるコマ収差や非点収差の変動が大きくなりやすい。
【００３２】
なお、条件式（４）に代えて、次の条件式（４’）を満足すると、より好ましい。
−０．７＜β2w＜−０．４０８      ・・・（４’）
さらに、条件式（４）に代えて、次の条件式（４”）を満足すると、より一層好ましい。
−０．６＜β2w＜−０．４１      ・・・（４”）
【００３３】
また、第４レンズ群は、変倍時に移動しないことが好ましい。これにより、鏡枠の機構を簡易にでき、小型化に優位である。一方、収差補正の面では第３レンズ群Ｇ３と第４レンズ群Ｇ４の間隔が可変であることには変わりはないので、実用上問題はない。
【００３４】
また、第２レンズ群の移動量抑制に関し、第２レンズ群のパワーについて以下の条件式（５）を満足するのが好ましい。
０．９＜ｆw／ｆ2＜１．６      ・・・（５）
ここで、ｆ2は第２レンズ群の合成焦点距離である。
【００３５】
結像光学系全系の光学全長や第２レンズ群の移動量は第２レンズ群のパワーが大きいほど少なくて済む。
条件式（５）の下限値を下回ると、第２レンズ群の移動量や光学全長が大きくなる。
一方、条件式（５）の上限値を上回ると、ある程度以上のバックフォーカスの確保が困難となる。同時に各収差補正（特に、コマ収差、非点収差）が困難となる。
【００３６】
なお、条件式（５）に代えて、次の条件式（５’）を満足すると、より好ましい。
１＜ｆw／ｆ2＜１．５      ・・・（５’）
さらに、条件式（５）に代えて、次の条件式（５”）を満足すると、より一層好ましい。
１．１＜ｆw／ｆ2＜１．４      ・・・（５”）
【００３７】
また、第１レンズ群を物体側から順に、２枚の負レンズＬ１１１、Ｌ１１２と１枚の正レンズＬ１２にて構成したとき、以下の条件式（６）を満足するのが好ましい。
１＜SF111-SF112＜２．５      ・・・（６）
ここで、
SF111＝（Ｒ111F ＋Ｒ111R ）／（Ｒ111F −Ｒ111R ）      ・・・（６ａ）
SF112＝（Ｒ112F ＋Ｒ112R ）／（Ｒ112F −Ｒ112R ）      ・・・（６ｂ）
Ｒ111Fは前記第１レンズ群の最初の負レンズＬ１１１の物体側面の光軸上の曲率半径、
Ｒ111Rは前記第１レンズ群の最初の負レンズＬ１１１の像側面の光軸上の曲率半径、
Ｒ112Fは前記第１レンズ群の２番目の負レンズＬ１１２の物体側面の光軸上の曲率半径、
Ｒ112Rは前記第１レンズ群の２番目の負レンズＬ１１２の像側面の光軸上の曲率半径、
である。
【００３８】
条件式（６）の下限値を下回ると、第１レンズ群にて発生しやすい歪曲収差、非点収差、コマ収差を全体的にバランスよく高いレベルにて補正することが困難となる。
条件式（６）の上限値を上回ると、負レンズＬ１１１と負レンズＬ１１２との干渉の関係で両者間の空気間隔が多く必要となり、薄型化に逆行する方向となる。
【００３９】
なお、条件式（６）に代えて、次の条件式（６’）を満足すると、より好ましい。
１＜SF111-SF112＜２．３      ・・・（６’）
さらに、条件式（６）に代えて、次の条件式（６”）を満足すると、より一層好ましい。
１．１＜SF111-SF112＜２．１      ・・・（６”）
【００４０】
また、第１レンズ群を物体側から順に、２枚の負レンズＬ１１１、Ｌ１１２と１枚の正レンズＬ１２にて構成したとき、以下の条件式（７）を満足するのが好ましい。
０．２＜Ｒ12F ／Ｒ112R＜１      ・・・（７）
ここで、
Ｒ112Rは前記第１レンズ群の２番目の前記負レンズＬ１１２の像側面の光軸上の曲率半径、
R12Fは前記第１レンズ群の前記正レンズＬ１２の物体側面の光軸上の曲率半径、
である。
【００４１】
条件式（７）の下限値を下回ると、第１レンズ群にて発生しやすい歪曲収差、非点収差、コマ収差を全体的にバランスよく高いレベルにて補正することが困難となる。
条件式（７）の上限値を上回ると、負レンズＬ１１２と正レンズＬ１２との干渉の関係で両者間の空気間隔が多く必要となり、薄型化に逆行する方向となる。
【００４２】
なお、条件式（７）に代えて、次の条件式（７’）を満足すると、より好ましい。
０．３＜Ｒ12F ／Ｒ112R＜０．８      ・・・（７’）
さらに、条件式（７）に代えて、次の条件式（７”）を満足すると、より一層好ましい。
０．４＜Ｒ12F ／Ｒ112R＜０．７      ・・・（７”）
【００４３】
また、第１レンズ群を物体側から順に、２枚の負レンズＬ１１１、Ｌ１１２と１枚の正レンズＬ１２にて構成したとき、以下の条件式（８）を満足するのが好ましい。
０．００１＜ｄ12 ／ｆw＜０．１      ・・・（８）
ここで、ｄ12 は第１レンズ群の２番目の負レンズＬ１１２と正レンズＬ１２との光軸上の空気間隔である。
【００４４】
条件式（８）の下限値を下回ると、第１レンズ群にて発生しやすい歪曲収差、非点収差、コマ収差を全体的にバランスよく高いレベルにて補正することが困難となる。
条件式（８）の上限値を上回ると、第１レンズ群の厚みが増大し、薄型化に逆行する方向となる。
【００４５】
なお、条件式（８）に代えて、次の条件式（８’）を満足すると、より好ましい。
０．００５＜ｄ12 ／ｆw＜０．０６      ・・・（８’）
さらに、条件式（８）に代えて、次の条件式（８”）を満足すると、より一層好ましい。
０．０１＜ｄ12 ／ｆw＜０．０３      ・・・（８”）
【００４６】
また、第１レンズ群を物体側から順に、１枚の負レンズＬ１１と１枚の正レンズＬ１２にて構成したとき、以下の条件を満足するのが好ましい。
０．４＜（Ｒ11F ＋Ｒ11R ）／（Ｒ11F −Ｒ11R ）＜１．３      ・・・（９）
ここで、Ｒ11Fは第１レンズ群の負レンズＬ１１の物体側面の光軸上の曲率半径、
Ｒ11R は第１レンズ群の負レンズＬ１１の像側面の光軸上の曲率半径、
である。
【００４７】
条件式（９）の下限値を下回ると、第１レンズ群にて発生しやすい歪曲収差、非点収差、コマ収差を全体的にバランスよく高いレベルにて補正することが困難となる。
条件式（９）の上限値を上回ると全長の短縮が困難となる。
【００４８】
なお、条件式（９）に代えて、次の条件式（９’）を満足すると、より好ましい。
０．５＜（Ｒ11F ＋Ｒ11R ）／（Ｒ11F −Ｒ11R ）＜１．２      ・・・（９’）
さらに、条件式（９）に代えて、次の条件式（９”）を満足すると、より一層好ましい。
０．６＜（Ｒ11F ＋Ｒ11R ）／（Ｒ11F −Ｒ11R ）＜１．１      ・・・（９”）
【００４９】
また、第１レンズ群を物体側から順に、１枚の負レンズＬ１１と１枚の正レンズＬ１２にて構成したとき、以下の条件を満足するのが好ましい。
−３．５＜（Ｒ12F ＋Ｒ12R ）／（Ｒ12F −Ｒ12R ）＜−２．７    ・・・（１０）
ここで、
Ｒ12Fは前記第１レンズ群の前記正レンズＬ１２の物体側面の光軸上の曲率半径、
Ｒ12Rは前記第１レンズ群の前記正レンズＬ１２の像側面の光軸上の曲率半径、
である。
【００５０】
条件式（１０）の下限値を下回ると、全長の短縮が困難となる。
条件式（１０）の上限値を上回ると、第１レンズ群にて発生しやすい歪曲収差、非点収差、コマ収差を全体的にバランスよく高いレベルにて補正することが困難となる。
【００５１】
なお、条件式（１０）に代えて、次の条件式（１０’）を満足すると、より好ましい。
−３．４＜（Ｒ12F ＋Ｒ12R ）／（Ｒ12F −Ｒ12R ）＜−２．８  ・・・（１０’）
さらに、条件式（１０）に代えて、次の条件式（１０”）を満足すると、より一層好ましい。
−３．３＜（Ｒ12F ＋Ｒ12R ）／（Ｒ12F −Ｒ12R ）＜−２．９  ・・・（１０”）
【００５２】
また、第１レンズ群を物体側から順に、１枚の負レンズＬ１１と１枚の正レンズＬ１２にて構成したとき、以下の条件を満足するのが好ましい。
０．１＜ｄ12 ／ｆw＜０．３５      ・・・（１１）
ここで、ｄ12 は第１レンズ群の負レンズＬ１１と正レンズＬ１２との光軸上の空気間隔である。
【００５３】
条件式（１１）の下限値を下回ると、第１レンズ群にて発生しやすい歪曲収差、非点収差、コマ収差を全体的にバランスよく高いレベルにて補正することが困難となる。
条件式（１１）の上限値を上回ると、第１レンズ群の厚みが増大し、薄型化に逆行する方向となる。
【００５４】
なお、条件式（１１）に代えて、次の条件式（１１’）を満足すると、より好ましい。
０．１３＜ｄ12 ／ｆw＜０．３２      ・・・（１１’）
さらに、条件式（１１）に代えて、次の条件式（１１”）を満足すると、より一層好ましい。
０．１６＜ｄ12 ／ｆw＜０．３      ・・・（１１”）
【００５５】
また、第２レンズ群は負レンズを１つのみ有し、その直前の正レンズとの光軸上の空気間隔ｄ2pnが以下の条件を満足するのが好ましい。
０≦ｄ2pn ／ｆw＜１      ・・・（１２）
【００５６】
条件式（１２）の下限値を下回ると、収差補正上の問題は特にないが、レンズとして物理的に成り立たない。
条件式（１２）の上限値を上回ると、コマ収差や色収差の補正が困難になりやすい。
【００５７】
なお、条件式（１２）に代えて、次の条件式（１２’）を満足すると、より好ましい。
０≦ｄ2pn ／ｆw＜０．８      ・・・（１２’）
さらに、条件式（１２）に代えて、次の条件式（１２”）を満足すると、より一層好ましい。
０≦ｄ2pn ／ｆw＜０．２      ・・・（１２”）
【００５８】
また、第２レンズ群を物体側から順に、正レンズＬ２１、負レンズＬ２２、正レンズＬ２３にて構成し、前記正レンズＬ２１と負レンズＬ２２を接合したとき、以下の条件式（１３）を満足するのが好ましい。
０．２＜（Ｒ322F ＋Ｒ322R ）／（Ｒ322F −Ｒ322R ）＜１．７    ・・・（１３）
ここで、
Ｒ322Fは前記第２レンズ群の負レンズＬ２２の物体側面の光軸上の曲率半径、
Ｒ322Rは前記第２レンズ群の負レンズＬ２２の像側面の光軸上の曲率半径、
である。
【００５９】
条件式（１３）の下限値を下回ると全長短縮が困難になりやすい。
条件式（１３）の上限値を上回ると、広角端にて第３レンズ群と干渉しやすくなる。そこで敢えて全長を短縮したり、第２レンズ群と第３レンズ群の間隔を広げたりすると、特に変倍時におけるコマ収差や非点収差の変動が大きくなりやすい。
【００６０】
なお、条件式（１３）に代えて、次の条件式（１３’）を満足すると、より好ましい。
０．３＜（Ｒ322F ＋Ｒ322R ）／（Ｒ322F −Ｒ322R ）＜１．６  ・・・（１３’）
さらに、条件式（１３）に代えて、次の条件式（１３”）を満足すると、より一層好ましい。
０．４＜（Ｒ322F ＋Ｒ322R ）／（Ｒ322F −Ｒ322R ）＜１．５  ・・・（１３”）
【００６１】
また、第２レンズ群は物体側から順に、正レンズＬ２１、負レンズＬ２２、正レンズＬ２３にて構成し、前記正レンズＬ２１と負レンズＬ２２を接合したとき、以下の条件式（１４）を満足するのが好ましい。
０．２＜Ｒ22R ／Ｒ21F＜１      ・・・（１４）
ここで、
Ｒ21Fは前記第２レンズ群の前記正レンズＬ２１の物体側面の光軸上の曲率半径、
Ｒ22Rは前記第２レンズ群の前記負レンズＬ２２の像側面の光軸上の曲率半径、
である。
【００６２】
条件式（１４）の上限値を上回ると、全系収差の球面収差・コマ収差・非点収差の補正には有利だが、接合による偏心敏感度の緩和の効果が少ない。
条件式（１４）の下限値を下回ると、全系収差の球面収差・コマ収差・非点収差の補正が困難になりやすい。
【００６３】
なお、条件式（１４）に代えて、次の条件式（１４’）を満足すると、より好ましい。
０．４＜Ｒ22R ／Ｒ21F＜０．９      ・・・（１４’）
さらに、条件式（１４）に代えて、次の条件式（１４”）を満足すると、より一層好ましい。
０．６＜Ｒ22R ／Ｒ21F＜０．８      ・・・（１４”）
【００６４】
また、第２レンズ群を物体側から順に、正レンズＬ２１、負レンズＬ２２にて構成し、負レンズＬ２２に関して以下の条件式(１６）を満足するのが好ましい。
２．５＜（Ｒ222F ＋Ｒ222R ）／（Ｒ222F −Ｒ222R ）＜５      ・・・（１６）
ここで、
Ｒ222Fは前記第２レンズ群の負レンズＬ２２の物体側面の光軸上の曲率半径、
Ｒ222Rは前記第２レンズ群の負レンズＬ２２の像側面の光軸上の曲率半径、
である。
【００６５】
条件式（１６）の下限値を下回ると、全長短縮が困難になりやすい。
条件式（１６）の上限値を上回ると、広角端にて第３レンズ群と干渉しやすくなる。そこで敢えて全長を短縮したり、第２レンズ群と第３レンズ群の間隔を広げたりすると、特に変倍時におけるコマ収差や非点収差の変動が大きくなりやすい。
【００６６】
なお、条件式（１６）に代えて、次の条件式（１６’）を満足すると、より好ましい。
３＜（Ｒ222F ＋Ｒ222R ）／（Ｒ222F −Ｒ222R ）＜４．５      ・・・（１６’）
さらに、条件式（１６）に代えて、次の条件式（１６”）を満足すると、より一層好ましい。
３．５＜（Ｒ222F ＋Ｒ222R ）／（Ｒ222F −Ｒ222R ）＜４      ・・・（１６”）
【００６７】
また、第３レンズ群に関し、以下の条件式（１７）を満足するのが好ましい。
０．５＜（Ｒ3F＋Ｒ3R）／（Ｒ3F−Ｒ3R）＜２．４      ・・・（１７）
ここで、
Ｒ3Fは前記第３レンズ群の最も物体側にある負レンズ成分の物体側面の光軸上の曲率半径、
Ｒ3Rは前記第３レンズ群の最も物体側にある負レンズ成分の像側面の光軸上の曲率半径、
である。
【００６８】
第３レンズ群は合焦のために移動しても収差の変動量が少なく、合焦用レンズ群として最適である。
条件式（１７）の下限値を下回ると、合焦による球面収差やコマ収差の変動量が大きくなり好ましくない。
条件式（１７）の上限値を上回ると、広角端にてより近距離の物体に合焦する際に第４レンズ群と干渉しやすくなる。なお、薄型化の観点で第３レンズ群は１つのレンズ成分で構成するのが良い。
【００６９】
なお、条件式（１７）に代えて、次の条件式（１７’）を満足すると、より好ましい。
０．６＜（Ｒ3F＋Ｒ3R）／（Ｒ3F−Ｒ3R）＜２．２      ・・・（１７’）
さらに、条件式（１７）に代えて、次の条件式（１７”）を満足すると、より一層好ましい。
０．８＜（Ｒ3F＋Ｒ3R）／（Ｒ3F−Ｒ3R）＜２      ・・・（１７”）
【００７０】
また、第３レンズ群を２つの負レンズ成分Ｌ３１とＬ３２にて構成したとき、両者で形成する空気凸レンズが以下の条件を満足するのが好ましい。
−０．３５＜（Ｒ31R ＋Ｒ32F ）／（Ｒ31R −Ｒ32F ）＜０      ・・・（１８）
ここで、
Ｒ31Rは前記第３レンズ群の負レンズＬ３１の像側面の光軸上の曲率半径、
Ｒ32Fは前記第３レンズ群の負レンズＬ３２の物体側面の光軸上の曲率半径、
である。
【００７１】
条件式（１８）の下限値を下回ると、合焦による非点収差の変動量が大きくなり好ましくない。
条件式（１８）の上限値を上回ると、合焦による球面収差やコマ収差の変動量が大きくなり好ましくない。
【００７２】
なお、条件式（１８）に代えて、次の条件式（１８’）を満足すると、より好ましい。
−０．３＜（Ｒ31R ＋Ｒ32F ）／（Ｒ31R −Ｒ32F ）＜−０．１  ・・・（１８’）
さらに、条件式（１８）に代えて、次の条件式（１８”）を満足すると、より一層好ましい。
−０．２５＜（Ｒ31R ＋Ｒ32F ）／（Ｒ31R −Ｒ32F ）＜−０．１５  
・・・（１８”）
【００７３】
また、第３レンズ群で最も物体側の負レンズを形成する媒質のｄ線に対する屈折率ｎ３１と第４レンズ群の正レンズを形成する媒質のｄ線に対する屈折率ｎ４の関係が、以下の条件式（１９）を満足するのが好ましい。
−０．２＜ｎ4−ｎ31＜０．６      ・・・（１９）
【００７４】
条件式（１９）の下限値を下回ると、ペッツバール和が正側に大きくなりやすい。
一方、条件式（１９）の上限値を上回ると、収差補正上の問題は少ないが、硝材が現実に存在し得ない。
【００７５】
なお、条件式（１９）に代えて、次の条件式（１９’）を満足すると、より好ましい。
−０．１＜ｎ4−ｎ31＜０．４      ・・・（１９’）
さらに、条件式（１９）に代えて、次の条件式（１９”）を満足すると、より一層好ましい。
０＜ｎ4−ｎ31＜０．３      ・・・（１９”）
【００７６】
また、第４レンズ群の合成焦点距離ｆ4に関し、以下の条件式（２０）を満足するのが好ましい。
０．２＜ｆw／ｆ4＜０．６      ・・・（２０）
ここで、ｆwは広角端における結像光学系の全系の合成焦点距離である。
条件式（２０）の下限値を下回ると、第３レンズ群のパワーを緩くせざるを得ず、第３レンズ群を合焦に用いることが出来なくなる。
条件式（２０）の上限値を上回ると、変倍による主光線射出角の変動が大きくなり好ましくない。そこで敢えて第３レンズ群にパワーを付与すること、主光線の射出角を適正に維持することを達成しようとすると、特に変倍時におけるコマ収差や非点収差の変動が大きくなりやすい。
【００７７】
なお、条件式（２０）に代えて、次の条件式（２０’）を満足すると、より好ましい。
０．２５＜ｆw／ｆ4＜０．５５      ・・・（２０’）
さらに、条件式（２０）に代えて、次の条件式（２０”）を満足すると、より一層好ましい。
０．３＜ｆw／ｆ4＜０．５      ・・・（２０”）
【００７８】
また、第４レンズ群の形状に関し、以下の条件式（２１）を満足するのが好ましい。
０．４＜（Ｒ4F＋Ｒ4R）／（Ｒ4F−Ｒ4R）＜１．６          ・・・（２１）
ここで、
Ｒ4Fは第４レンズ群の物体側の面の光軸上の曲率半径、
Ｒ4Rは第４レンズ群の像側の面の光軸上の曲率半径、
である。
【００７９】
条件式（２１）の下限値を下回ると、全長短縮に不利である。
条件式（２１）の上限値を上回ると、広角端において、第４レンズ群が第３レンズ群と干渉しやすくなる。そこで敢えて全長を短縮したり、第３レンズ群と第４レンズ群の間隔を広げたりすると、特に変倍時におけるコマ収差や非点収差の変動が大きくなりやすい。
【００８０】
なお、条件式（２１）に代えて、次の条件式（２１’）を満足すると、より好ましい。
０．５＜（Ｒ4F＋Ｒ4R）／（Ｒ4F−Ｒ4R）＜１．５      ・・・（２１’）
さらに、条件式（２１）に代えて、次の条件式（２１”）を満足すると、より一層好ましい。
０．６＜（Ｒ4F＋Ｒ4R）／（Ｒ4F−Ｒ4R）＜１．４      ・・・（２１”）
【００８１】
また、第４レンズ群を変倍時及びフォーカシング時に固定としたとき、以下の条件式（２２）を満足するのが好ましい。
０．８＜ｆb／ｆw＜１．８      ・・・（２２）
ここで、
ｆwは広角端における結像光学系の全系の合成焦点距離、
ｆbは第４レンズ群の最終面からガウス像点までの光軸上の距離、
である。
【００８２】
条件式（２２）の下限値を下回ると、すでに所望のバックフォーカス長でなくなってしまう。
条件式（２２）の上限値を上回ると、全長が長くなりやすく、収差補正上は特にコマ収差や歪曲収差に不利となる。
【００８３】
なお、条件式（２２）に代えて、次の条件式（２２’）を満足すると、より好ましい。
０．９＜ｆb／ｆw＜１．６      ・・・（２２’）
さらに、条件式（２２）に代えて、次の条件式（２２”）を満足すると、より一層好ましい。
１＜ｆb／ｆw＜１．４      ・・・（２２”）
【００８４】
また、本実施形態の電子撮像装置は、
上述の結像光学系と、
電子撮像素子と、前記結像光学系を通じて結像した像を前記電子撮像素子で撮像することによって得られた画像データを加工して像の形状を変化させた画像データとして出力する画像処理手段とを有し、
前記結像光学系が、無限遠物点合焦時に次の条件式（Ａ）を満足することを特徴とする。
０．７＜ｙ07／（ｆｗ・ｔａｎω07w）＜０．９７      …（Ａ）
但し、ｙ07は前記電子撮像素子の有効撮像面内（撮像可能な面内）で中心から最も遠い点までの距離（最大像高）をｙ10としたときｙ07＝０．７・ｙ10として表される。また、ω07wは広角端における前記撮像面上の中心からｙ07の位置に結ぶ像点に対応する主光線が物点側で光軸となす角度、ｆｗは広角端における前記結像光学系の全系の焦点距離である。
【００８５】
上述した結像光学系は、色収差などを悪化させることなく光学系全長や沈胴厚を薄くすることが可能である。そのため、電子撮像装置にこのような結像光学系を用いると、高画質な画像を得られつつ薄型化された電子撮像装置を得ることができる。
【００８６】
以下に、本発明にかかる結像光学系及び電子撮像装置の実施例を図面に基づいて詳細に説明する。なお、この実施例によりこの発明が限定されるものではない。
【００８７】
次に、実施例１にかかるズームレンズについて説明する。図１は実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【００８８】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ωは半画角を示している。なお、収差図における記号は、後述の実施例においても共通である。
【００８９】
実施例１のズームレンズは、図１に示すように、物体側より順に、第１レンズ群Ｇ１と、開口絞りＳと、第２レンズ群Ｇ２と、第３レンズ群Ｇ３と、第４レンズ群Ｇ４を有している。なお、以下全ての実施例において、レンズ断面図中、ＬＰＦはローパスフィルター、ＣＧはカバーガラス、Ｉは電子撮像素子の撮像面を示している。
【００９０】
第１レンズ群Ｇ１は、物体側に凸面を向けた負メニスカスレンズＬ１と、両凹負レンズＬ２と、物体側に凸面を向けた正メニスカスレンズＬ３で構成されており、全体で負の屈折力を有している。
【００９１】
第２レンズ群Ｇ２は、物体側に凸面を向けた正メニスカスレンズＬ４と物体側に凸面を向けた負メニスカスレンズＬ５と物体側に凸面を向けた正メニスカスレンズＬ６との接合レンズで構成されており、全体で正の屈折力を有している。
【００９２】
第３レンズ群Ｇ３は、物体側に凸面を向けた負メニスカスレンズＬ７と、像面側に凸面を向けた負メニスカスレンズＬ８とで構成されており、全体で負の屈折力を有している。
【００９３】
第４レンズ群Ｇ４は、両凸正レンズＬ９で構成されており、全体で正の屈折力を有している。
【００９４】
広角端から望遠端へと変倍する際には、第１レンズ群Ｇ１は像面側へ移動した後反転し、物体側へ移動し、第２レンズ群Ｇ２は開口絞りＳと共に物体側へ移動し、第３レンズ群Ｇ３は物体側へ移動し、第４レンズ群Ｇ４は固定している。
【００９５】
非球面は、第１レンズ群Ｇ１中の両凹負レンズＬ２の物体側の面、第２レンズ群Ｇ２中の像面側の正メニスカスレンズＬ６の像面側の面、第３レンズ群Ｇ３中の物体側の負メニスカスレンズＬ７の像面側の面、像面側の負メニスカスレンズＬ８の物体側の面、第４レンズ群Ｇ４中の両凸正レンズＬ９の像面側の面、との５面に設けられている。
【００９６】
次に、実施例２にかかるズームレンズについて説明する。図３は実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【００９７】
図４は実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【００９８】
実施例２のズームレンズは、図３に示すように、物体側より順に、第１レンズ群Ｇ１と、開口絞りＳと、第２レンズ群Ｇ２と、第３レンズ群Ｇ３と、第４レンズ群Ｇ４を有している。
【００９９】
第１レンズ群Ｇ１は、物体側に凸面を向けた負メニスカスレンズＬ１と、両凹負レンズＬ２と、物体側に凸面を向けた正メニスカスレンズＬ３で構成されており、全体で負の屈折力を有している。
【０１００】
第２レンズ群Ｇ２は、物体側に凸面を向けた正メニスカスレンズＬ４と物体側に凸面を向けた負メニスカスレンズＬ５との接合レンズと、物体側に凸面を向けた正メニスカスレンズＬ６との接合レンズで構成されており、全体で正の屈折力を有している。
【０１０１】
第３レンズ群Ｇ３は、物体側に凸面を向けた負メニスカスレンズＬ７で構成されており、全体で負の屈折力を有している。
【０１０２】
第４レンズ群Ｇ４は、両凸正レンズＬ８で構成されており、全体で正の屈折力を有している。
【０１０３】
広角端から望遠端へと変倍する際には、第１レンズ群Ｇ１は像面側へ移動した後反転し、物体側へ移動し、第２レンズ群Ｇ２は開口絞りＳと共に物体側へ移動し、第３レンズ群Ｇ３は物体側へ移動し、第４レンズ群Ｇ４は固定している。
【０１０４】
非球面は、第２レンズ群Ｇ２中の像面側の正メニスカスレンズＬ６の像面側の面、第３レンズ群Ｇ３中の負メニスカスレンズＬ７の像面側の面、との２面に設けられている。
【０１０５】
次に、実施例３にかかるズームレンズについて説明する。図５は実施例３にかかるズームレンズの無限遠物点合焦時の光学構成を示す光軸に沿う断面図であり、（ａ）は広角端、（ｂ）は中間焦点距離状態、（ｃ）は望遠端での断面図である。
【０１０６】
図６は実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１０７】
実施例３のズームレンズは、図５に示すように、物体側より順に、第１レンズ群Ｇ１と、開口絞りＳと、第２レンズ群Ｇ２と、第３レンズ群Ｇ３と、第４レンズ群Ｇ４を有している。
【０１０８】
第１レンズ群Ｇ１は、物体側に凸面を向けた負メニスカスレンズＬ１と、両凹負レンズＬ２と、物体側に凸面を向けた正メニスカスレンズＬ３で構成されており、全体で負の屈折力を有している。
【０１０９】
第２レンズ群Ｇ２は、物体側に凸面を向けた正メニスカスレンズＬ４と物体側に凸面を向けた負メニスカスレンズＬ５との接合レンズと、物体側に凸面を向けた正メニスカスレンズＬ６との接合レンズで構成されており、全体で正の屈折力を有している。
【０１１０】
第３レンズ群Ｇ３は、物体側に凸面を向けた負メニスカスレンズＬ７で構成されており、全体で負の屈折力を有している。
【０１１１】
第４レンズ群Ｇ４は、両凸正レンズＬ８で構成されており、全体で正の屈折力を有している。
【０１１２】
広角端から望遠端へと変倍する際には、第１レンズ群Ｇ１は像面側へ移動した後反転し、物体側へ移動し、第２レンズ群Ｇ２は開口絞りＳと共に物体側へ移動し、第３レンズ群Ｇ３は物体側へ移動し、第４レンズ群Ｇ４は固定している。
【０１１３】
非球面は、第２レンズ群Ｇ２中の像面側の正メニスカスレンズＬ６の像面側の面、第３レンズ群Ｇ３中の負メニスカスレンズＬ７の像面側の面、との２面に設けられている。
【０１１４】
次に、実施例４にかかるズームレンズについて説明する。図７は実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【０１１５】
図８は実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１１６】
実施例４のズームレンズは、図７に示すように、物体側より順に、第１レンズ群Ｇ１と、開口絞りＳと、第２レンズ群Ｇ２と、第３レンズ群Ｇ３と、第４レンズ群Ｇ４を有している。
【０１１７】
第１レンズ群Ｇ１は、物体側に凸面を向けた負メニスカスレンズＬ１と、両凹負レンズＬ２と、物体側に凸面を向けた正メニスカスレンズＬ３で構成されており、全体で負の屈折力を有している。
【０１１８】
第２レンズ群Ｇ２は、両凸正レンズＬ４と、物体側に凸面を向けた正メニスカスレンズＬ５で構成されており、全体で正の屈折力を有している。
【０１１９】
第３レンズ群Ｇ３は、両凹負レンズＬ６で構成されており、全体で負の屈折力を有している。
【０１２０】
第４レンズ群Ｇ４は、物体側に凸面を向けた正メニスカスレンズＬ７で構成されており、全体で正の屈折力を有している。
【０１２１】
広角端から望遠端へと変倍する際には、第１レンズ群Ｇ１は物体側へ移動し、第２レンズ群Ｇ２は開口絞りＳと共に物体側へ移動し、第３レンズ群Ｇ３は物体側へ移動し、第４レンズ群Ｇ４は固定している。
【０１２２】
非球面は、第２レンズ群Ｇ２中の両凸正レンズＬ４の物体側の面、正メニスカスレンズＬ５の像面側の面、第３レンズ群Ｇ３中の両凹負レンズＬ６の像面側の面、との３面に設けられている。
【０１２３】
次に、実施例５にかかるズームレンズについて説明する。図９は実施例５にかかるズームレンズの無限遠物点合焦時の光学構成を示す光軸に沿う断面図であり、（ａ）は広角端、（ｂ）は中間焦点距離状態、（ｃ）は望遠端での断面図である。
【０１２４】
図１０は実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１２５】
実施例５のズームレンズは、図９に示すように、物体側より順に、第１レンズ群Ｇ１と、開口絞りＳと、第２レンズ群Ｇ２と、第３レンズ群Ｇ３と、第４レンズ群Ｇ４を有している。
【０１２６】
第１レンズ群Ｇ１は、物体側に凸面を向けた負メニスカスレンズＬ１と、物体側に凸面を向けた正メニスカスレンズＬ２で構成されており、全体で負の屈折力を有している。
【０１２７】
第２レンズ群Ｇ２は、物体側に凸面を向けた正メニスカスレンズＬ３と物体側に凸面を向けた負メニスカスレンズＬ４との接合レンズと、物体側に凸面を向けた正メニスカスレンズＬ５で構成されており、全体で正の屈折力を有している。
【０１２８】
第３レンズ群Ｇ３は、物体側に凸面を向けた負メニスカスレンズＬ６で構成されており、全体で負の屈折力を有している。
【０１２９】
第４レンズ群Ｇ４は、両凸正レンズＬ７で構成されており、全体で正の屈折力を有している。
【０１３０】
広角端から望遠端へと変倍する際には、第１レンズ群Ｇ１は像面側へ移動した後反転し、物体側へ移動し、第２レンズ群Ｇ２は開口絞りＳと共に物体側へ移動し、第３レンズ群Ｇ３は物体側へ移動し、第４レンズ群Ｇ４は固定している。
【０１３１】
非球面は、第１レンズ群Ｇ１中の負メニスカスレンズＬ１の像面側の面、第２レンズ群Ｇ２中の像面側の正メニスカスレンズＬ５の像面側の面、第３レンズ群Ｇ３中の負メニスカスレンズＬ６の像面側の面、との３面に設けられている。
【０１３２】
次に、実施例６にかかるズームレンズについて説明する。図１１は実施例６にかかるズームレンズの無限遠物点合焦時の光学構成を示す光軸に沿う断面図であり、（ａ）は広角端、（ｂ）は中間焦点距離状態、（ｃ）は望遠端での断面図である。
【０１３３】
図１２は実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１３４】
実施例６のズームレンズは、図１１に示すように、物体側より順に、第１レンズ群Ｇ１と、開口絞りＳと、第２レンズ群Ｇ２と、第３レンズ群Ｇ３と、第４レンズ群Ｇ４を有している。
【０１３５】
第１レンズ群Ｇ１は、両凹負レンズＬ１と、物体側に凸面を向けた正メニスカスレンズＬ２で構成されており、全体で負の屈折力を有している。
【０１３６】
第２レンズ群Ｇ２は、両凸正レンズＬ３と、物体側に凸面を向けた負メニスカスレンズＬ４で構成されており、全体で正の屈折力を有している。
【０１３７】
第３レンズ群Ｇ３は、物体側に凸面を向けた負メニスカスレンズＬ５で構成されており、全体で負の屈折力を有している。
【０１３８】
第４レンズ群Ｇ４は、像面側に凸面を向けた正メニスカスレンズＬ６で構成されており、全体で正の屈折力を有している。
【０１３９】
広角端から望遠端へと変倍する際には、第１レンズ群Ｇ１は像面側へ移動した後反転し、物体側へ移動し、第２レンズ群Ｇ２は開口絞りＳと共に物体側へ移動し、第３レンズ群Ｇ３は物体側へ移動し、第４レンズ群Ｇ４は固定している。
【０１４０】
非球面は、第１レンズ群Ｇ１中の両凹負レンズＬ１の物体側の面、第２レンズ群Ｇ２中の両凸正レンズＬ３の物体側の面、負メニスカスレンズL４の像面側の面、第３レンズ群Ｇ３中の負メニスカスレンズＬ５の像面側の面、との４面に設けられている。
【０１４１】
次に、実施例７にかかるズームレンズについて説明する。図１３は実施例７にかかるズームレンズの無限遠物点合焦時の光学構成を示す光軸に沿う断面図であり、（ａ）は広角端、（ｂ）は中間焦点距離状態、（ｃ）は望遠端での断面図である。
【０１４２】
図１４は実施例７にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１４３】
実施例７のズームレンズは、図１３に示すように、物体側より順に、第１レンズ群Ｇ１と、開口絞りＳと、第２レンズ群Ｇ２と、第３レンズ群Ｇ３と、第４レンズ群Ｇ４を有している。
【０１４４】
第１レンズ群Ｇ１は、物体側に凸面を向けた負メニスカスレンズＬ１と、両凹負レンズＬ２と、物体側に凸面を向けた正メニスカスレンズＬ３で構成されており、全体で負の屈折力を有している。
【０１４５】
第２レンズ群Ｇ２は、両凸正レンズＬ４と両凹負レンズＬ５との接合レンズと、物体側に凸面を向けた正メニスカスレンズＬ６で構成されており、全体で正の屈折力を有している。
【０１４６】
第３レンズ群Ｇ３は、物体側に凸面を向けた負メニスカスレンズＬ７で構成されており、全体で負の屈折力を有している。
【０１４７】
第４レンズ群Ｇ４は、両凸正レンズＬ８で構成されており、全体で正の屈折力を有している。
【０１４８】
広角端から望遠端へと変倍する際には、第１レンズ群Ｇ１は像面側へ移動した後反転し、物体側へ移動し、第２レンズ群Ｇ２は開口絞りＳと共に物体側へ移動し、第３レンズ群Ｇ３は物体側へ移動し、第４レンズ群Ｇ４は固定している。
【０１４９】
非球面は、第２レンズ群Ｇ２中の正メニスカスレンズＬ６の像面側の面、第３レンズ群Ｇ３中の負メニスカスレンズＬ７の像面側の面、との２面に設けられている。
【０１５０】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、＊は非球面を示している。
【０１５１】
実施例の説明の諸元表中、（非球面）を付した面は非球面形状の面である。非球面形状を表す式は、光軸に垂直な高さをＨ，面頂を原点としたときの高さＨにおける光軸方向の変位量をＸ（Ｈ），近軸曲率半径をｒ，円錐係数をＫ，２次，４次，６次，８次，１０次の非球面係数をそれぞれA2，A4，A6，A8，A10としたとき次の（ａ）式で表される。
Ｘ（Ｈ）＝（Ｈ２／ｒ）／｛１＋［１−（１＋Ｋ）・（Ｈ２／ｒ２）］１／２｝
＋A4Ｈ４＋A6Ｈ６＋A8Ｈ８＋A10Ｈ１０          ・・・（ａ）
また、ｅは１０のべき乗を表している。なお、これら諸元値の記号は後述の実施例の数値データにおいても共通である。
【０１５２】
また、全ての数値実施例において、像高、ズーム比は、以下の値である。
【０１５３】
数値実施例１
単位ｍｍ
面データ
面番号   r          d         nd        νd    
物面     ∞         ∞
1      40.000      1.00     1.88300    40.76
2      12.208      4.90
3     -64.338      1.00     1.52542    55.78
4*     29.279      0.29
5      20.083      3.03     1.84666    23.78
6      74.737      可変
7(絞り)  ∞        1.18
8      11.101      2.67     1.83400    37.16
9     239.150      2.87     1.78470    26.29
10      8.000      4.76     1.59201    67.02
11*   174.731      可変
12     62.548      1.00     1.52542    55.78
13*    19.677      2.10
14*   -29.389      1.00     1.52542    55.78
15    -60.000      可変
16    165.536      4.01     1.52542    55.78
17*   -25.234      可変
18       ∞        2.66     1.51633    64.14
19       ∞        1.00
像面（撮像面）∞
非球面データ
第４面
k=0.000
A4=-3.38982e-06,A6=-8.51671e-08  
第１１面
k=0.000
A4=2.83295e-04,A6=2.19510e-06,A8=8.22825e-08  
第１３面
k=0.000
A4=-3.63119e-06  
第１４面
k=0.000
A4=-3.68022e-05,A6=-5.53193e-08  
第１７面
k=-0.387
A4=-3.59810e-06  
各種データ
広角      中間      望遠
焦点距離      14.47     30.38     41.64
ＦＮＯ．       3.96      5.68      6.83
画角２ω      83.06     40.15     29.42
BF(in air)    15.43     15.44     15.41
全長(in air)  74.12     69.47     72.60
d6            23.22      5.80      1.23  
d11            1.76      9.73     15.69  
d15            3.89      8.68     10.45  
d17           12.64     12.64     12.64  
各群焦点距離
f1=-23.32     f2=18.39     f3=-36.55     f4=41.98   
【０１５４】
数値実施例２
単位ｍｍ
面データ
面番号   r          d         nd        νd    
物面     ∞         ∞
1      35.000      1.00     1.83481    42.71
2      13.088      5.18
3     -74.520      1.00     1.52249    59.84
4      27.771      0.30
5      19.145      2.95     1.84666    23.78
6      45.403      可変
7(絞り)  ∞        1.18
8       8.990      2.65     1.80610    40.92
9     214.397      1.88     1.75520    27.51
10      6.938      0.55
11      7.660      3.37     1.52542    55.78
12*    52.825      可変
13    100.508      1.00     1.52542    55.78
14*    19.576      可変
15    886.551      4.61     1.51633    64.14
16    -21.797      可変
17       ∞        2.66     1.51633    64.14
18       ∞        1.00
像面（撮像面）∞
非球面データ
第１２面
k=0.000
A4=3.93771e-04,A6=3.02598e-06,A8=1.91578e-07,A10=-6.16016e-10  
第１４面
k=2.482
A4=-1.04363e-06,A6=-5.84697e-07  
各種データ
広角      中間      望遠
焦点距離      14.28     29.99     41.13
ＦＮＯ．       3.95      5.67      6.83
画角２ω      83.78     40.53     29.78
BF(in air)    15.39     15.39     15.39
全長(in air)  74.09     69.18     72.72
d6            25.01      6.74      2.00  
d12            2.19     10.22     16.17  
d14            5.82     11.16     13.48  
d16           12.64     12.64     12.64  
各群焦点距離
f1=-25.57     f2=19.32     f3=-46.47     f4=41.27   
【０１５５】
数値実施例３
単位ｍｍ
面データ
面番号   r          d         nd        νd    
物面     ∞         ∞
1      36.515      1.00     1.83481    42.71
2      12.416      4.38
3    -314.149      1.00     1.69680    55.53
4      25.508      0.30
5      17.363      2.78     1.84666    23.78
6      43.521      可変
7(絞り)  ∞        1.00
8       7.758      2.52     1.80610    40.92
9      33.630      1.08     1.75520    27.51
10      6.041      0.50
11      7.004      3.10     1.51633    64.14
12*   132.249      可変
13    218.112      1.00     1.52542    55.78
14*    15.042      可変
15    109.239      4.92     1.51633    64.14
16    -23.263      可変
17       ∞        2.66     1.51633    64.14
18       ∞        1.00
像面（撮像面）∞
非球面データ
第１２面
k=0.000
A4=4.73945e-04,A6=3.09311e-06,A8=3.90756e-07,A10=-4.01910e-09  
第１４面
k=0.000
A4=3.31138e-05,A6=-5.71483e-07,A8=3.04170e-09  
各種データ
広角      中間      望遠
焦点距離      14.01     29.41     40.32
ＦＮＯ．       3.99      5.68      6.83
画角２ω      84.89     41.23     30.34
BF(in air)    15.44     15.43     15.42
全長(in air)  70.14     65.84     68.96
d6            23.07      6.35      2.00  
d12            1.98      8.46     13.01  
d14            6.08     12.03     14.97  
d16           12.64     12.64     12.64  
各群焦点距離
f1=-22.93     f2=16.88     f3=-30.80     f4=37.62   
【０１５６】
数値実施例４
単位ｍｍ
面データ
面番号   r          d         nd        νd    
物面     ∞         ∞
1      35.000      1.00     1.81600    46.62
2      11.697      4.50
3     -43.354      1.00     1.74100    52.64
4      50.433      0.30
5      22.683      2.70     1.84666    23.78
6     134.218      可変
7(絞り)  ∞        1.00
8*      9.305      5.00     1.59201    67.02
9     -36.634      0.30
10     19.483      1.82     2.00178    19.32
11*    11.362      可変
12   -514.099      1.00     1.52542    55.78
13*    19.085      可変
14   -197.750      3.71     1.74320    49.34
15    -26.474      可変
16       ∞        2.66     1.51633    64.14
17       ∞        1.00
像面（撮像面）∞
非球面データ
第８面
k=-0.642
A4=5.60665e-05  
第１１面
k=2.252
A4=3.67221e-05,A6=7.06337e-07  
第１３面
k=0.000
A4=4.98525e-05,A6=-5.04103e-07  
各種データ
広角      中間      望遠
焦点距離      14.28     29.99     41.13
ＦＮＯ．       3.83      5.64      6.83
画角２ω      83.80     40.52     29.78
BF(in air)    15.38     15.39     15.39
全長(in air)  70.96     69.22     72.75
d6            23.09      7.47      3.19  
d11            3.22      9.69     14.78  
d13            6.94     14.35     17.06  
d15           12.64     12.64     12.64  
各群焦点距離
f1=-22.02     f2=17.45     f3=-35.00     f4=40.75   
【０１５７】
数値実施例５
単位ｍｍ
面データ
面番号   r          d         nd        νd    
物面     ∞         ∞
1    1364.480      1.00     1.74320    49.34
2*     12.109      4.34
3      19.946      2.79     1.80810    22.76
4      40.000      可変
5(絞り)  ∞        1.18
6       9.255      2.90     1.80610    40.92
7      84.927      1.37     1.75520    27.51
8       6.912      0.37
9       7.518      4.39     1.52542    55.78
10*    43.935      可変
11    271.958      1.00     1.52542    55.78
12*    27.270      可変
13    144.460      4.50     1.51633    64.14
14    -27.024      可変
15       ∞        2.66     1.51633    64.14
16       ∞        1.00
像面（撮像面）∞
非球面データ
第２面
k=-0.447
A4=-8.16356e-06,A6=-1.43419e-08,A8=-3.50802e-10  
第１０面
k=0.000
A4=3.33768e-04,A6=3.18128e-06,A8=5.43295e-08,A10=2.44257e-09  
第１２面
k=0.000
A4=4.04315e-05,A6=-2.89519e-07,A8=2.58942e-09  
各種データ
広角      中間      望遠
焦点距離      15.00     31.50     43.20
ＦＮＯ．       3.88      5.60      6.83
画角２ω      79.99     38.86     28.70
BF(in air)    15.39     15.40     15.39
全長(in air)  74.09     69.10     74.09
d4            26.33      6.78      2.00  
d10            2.38     10.52     15.55  
d12            6.14     12.57     17.31  
d14           12.64     12.64     12.64  
各群焦点距離
f1=-28.21     f2=20.92     f3=-57.77     f4=44.49   
【０１５８】
数値実施例６
単位ｍｍ
面データ
面番号   r          d         nd        νd    
物面     ∞         ∞
1*    -75.501      0.80     1.72903    54.04
2      15.336      2.48
3      19.653      3.02     1.84666    23.78
4      38.000      可変  
5(絞り)  ∞        1.00
6*      7.951      3.40     1.59201    67.02
7     -68.007      0.10
8      14.373      1.25     1.84666    23.78
9*      8.170      可変
10    153.275      0.80     1.52542    55.78
11*    15.327      可変
12   -134.602      3.79     1.72916    54.68
13    -21.712      可変
14       ∞        2.66     1.51633    64.14
15       ∞        1.00
像面（撮像面）∞
非球面データ
第１面
k=0.000
A4=1.76592e-05,A6=-6.27372e-09  
第６面
k=-0.897
A4=1.96475e-04,A6=9.79131e-07,A8=-8.27903e-09  
第９面
k=0.000
A4=3.31794e-04,A6=9.99366e-06,A8=-1.78860e-07,A10=1.69952e-08  
第１１面
k=0.000
A4=4.95674e-05,A6=-1.81708e-06,A8=1.93822e-08  
各種データ
広角      中間      望遠
焦点距離      14.40     30.24     41.47
ＦＮＯ．       4.12      5.81      6.84
画角２ω      83.39     40.62     29.54
BF(in air)    16.83     16.83     16.84
全長(in air)  74.08     65.46     65.14
d4            31.14      9.64      3.40  
d9             3.05      8.70     13.80  
d11            6.41     13.65     14.45  
d13           14.09     14.09     14.09  
各群焦点距離
f1=-29.55     f2=18.62     f3=-32.48     f4=35.01   
【０１５９】
数値実施例７
単位ｍｍ
面データ
面番号   r          d         nd        νd    
物面     ∞         ∞
1      35.000      1.00     1.83481    42.71
2      12.992      5.01
3     -74.501      1.00     1.52249    59.84
4      29.977      0.30
5      19.086      2.78     1.84666    23.78
6      40.000      可変
7(絞り)  ∞        1.18
8      10.197      5.00     1.72342    37.95
9     -20.000      1.39     1.75520    27.51
10      8.061      0.40
11      9.259      3.32     1.74320    49.34
12*   102.147      可変
13    211.860      1.00     1.52542    55.78
14*    17.188      可変
15    159.342      4.85     1.51633    64.14
16    -23.456      可変
17       ∞        2.66     1.51633    64.14
18       ∞        1.00
像面（撮像面）∞
非球面データ
第１２面
k=0.000
A4=1.96340e-04,A6=4.78249e-07,A8=1.00676e-07,A10=-1.90930e-09  
第１４面
k=1.379
A4=6.64542e-06,A6=-5.19950e-07  
各種データ
広角      中間      望遠
焦点距離      14.28     29.99     41.13
ＦＮＯ．       3.82      5.48      6.60
画角２ω      83.80     40.52     29.78
BF(in air)    15.39     15.39     15.40
全長(in air)  74.09     70.61     74.10
d6            23.99      6.62      2.00  
d12            2.00      8.10     12.60  
d14            5.48     13.26     16.87  
d16           12.64     12.64     12.64  
各群焦点距離
f1=-24.49     f2=18.11     f3=-35.66     f4=39.96   
【０１６０】
各実施例における条件式の値を以下に掲げる。
実施例1     実施例2     実施例3     実施例4
ｆw(広角端)                     14.47       14.28       14          14.28
ｆt(望遠端)                     41.64       41.13       40.32       41.13
半画角ωw(広角端)              -41.53      -41.89      -42.45      -41.9
半画角ωt(望遠端)              -14.71      -14.89      -15.17      -14.89
(1)Ｍ3/Ｍ2                          0.3         0.33        0.42        0.51
(2)ｆ4/|ｆ3|                        1.15        0.89        1.22        1.16
(3)β234w                          -0.62       -0.56       -0.61       -0.65
(4)β2w                            -0.52       -0.52       -0.49       -0.53
(5)ｆw/ｆ2                          0.79        0.74        0.83        0.82
(6)SF111-SF112                      1.5         1.74        1.18        2.08
(7)Ｒ12F/Ｒ112R                     0.69        0.69        0.68        0.45
(8)ｄ12/ｆw                         0.02        0.021       0.021       0.021
(9)(Ｒ11F＋Ｒ11R)/(Ｒ11F−Ｒ11R)      -           -           -           -
(10)(Ｒ12F＋Ｒ12R)/(Ｒ12F−Ｒ12R)     -           -           -           -
(11)ｄ12/ｆw                          -           -           -           -
(12)ｄ2pn/ｆw                       0 0           0           0.021
(13)(Ｒ322F＋Ｒ322R)/(Ｒ322F−Ｒ322R)
1.07        1.07        1.44          -
(14)Ｒ22R/Ｒ21F                     0.72        0.77        0.78          -
(16)(Ｒ222F＋Ｒ222R)/(Ｒ222F−Ｒ222R)
-           -           -         3.8
(17)(Ｒ3F＋Ｒ3R)/(Ｒ3F−Ｒ3R)       1.92        1.48        1.15        0.93
(18)(Ｒ31R＋Ｒ32F)/(Ｒ31R−Ｒ32F)  -0.2           -           -           -
(19)ｎ4−ｎ31                       0          -0.00909    -0.00909    -0.21778
(20)ｆw/ｆ4                         0.34        0.35        0.37        0.35
(21)(Ｒ4F＋Ｒ4R)/(Ｒ4F−Ｒ4R)       0.74        0.95        0.65        1.31
(22)ｆb/ｆw                         1.22        1.24        1.26        1.24
実施例5     実施例6     実施例7 
ｆw(広角端)                                 15          14.4        14.28
ｆt(望遠端)                                 43.2        41.47       41.13
半画角ωw(広角端)                          -39.99      -41.7       -41.9
半画角ωt(望遠端)                          -14.35      -14.77      -14.89
(1)Ｍ3/Ｍ2                                      0.46        0.29        0.52
(2)ｆ4/|ｆ3|                                    0.77        1.08        1.12
(3)β234w                                      -0.53       -0.49       -0.58
(4)β2w                                        -0.52       -0.41       -0.49
(5)ｆw/ｆ2                                      0.72        0.77        0.79
(6)SF111-SF112                                    -           -         1.75
(7)Ｒ12F/Ｒ112R                                   -           -         0.64
(8)ｄ12/ｆw                                       -           -         0.021
(9)(Ｒ11F＋Ｒ11R)/(Ｒ11F−Ｒ11R)                1.02        0.66          -
(10)(Ｒ12F＋Ｒ12R)/(Ｒ12F−Ｒ12R)              -2.99       -3.14          -
(11)ｄ12/ｆw                                    0.29        0.17          -
(12)ｄ2pn/ｆw                                   0           0.007       0
(13)(Ｒ322F＋Ｒ322R)/(Ｒ322F−Ｒ322R)           1.18          -         0.43
(14)Ｒ22R/Ｒ21F                                 0.75          -         0.79
(16)(Ｒ222F＋Ｒ222R)/(Ｒ222F−Ｒ222R)             -         3.63          -
(17)(Ｒ3F＋Ｒ3R)/(Ｒ3F−Ｒ3R)                   1.22        1.22        1.18
(18)(Ｒ31R＋Ｒ32F)/(Ｒ31R−Ｒ32F)                 -           -           -
(19)ｎ4−ｎ31                                  -0.00909    -0.20374    -0.00909
(20)ｆw/ｆ4                                     0.34        0.41        0.36
(21)(Ｒ4F＋Ｒ4R)/(Ｒ4F−Ｒ4R)                   0.68        1.38        0.74
(22)ｆb/ｆw                                     1.18        1.33        1.24
【０１６１】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０１６２】
図１５〜図１７に本発明による結像光学系をデジタルカメラの撮影光学系４１に組み込んだ構成の概念図を示す。図１５はデジタルカメラ４０の外観を示す前方斜視図、図１６は同後方斜視図、図１７はデジタルカメラ４０の光学構成を示す断面図である。
【０１６３】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０１６４】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１６５】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Ｅに導く接眼光学系５９が配置されている。
【０１６６】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０１６７】
次に、本発明の結像光学系が対物光学系として内蔵された情報処理装置の一例であるパソコンを図１８〜図２０に示す。図１８はパソコン３００のカバーを開いた状態の前方斜視図、図１９はパソコン３００の撮影光学系３０３の断面図、図２０は図１８の側面図である。図１８〜図２０に示されるように、パソコン３００は、キーボード３０１と、情報処理手段や記録手段と、モニター３０２と、撮影光学系３０３とを有している。
【０１６８】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１６９】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０１７０】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される。図１８には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１７１】
次に、本発明の結像光学系が撮影光学系として内蔵された情報処理装置の一例である電話、特に持ち運びに便利な携帯電話を図２１に示す。図２１（a）は携帯電話４００の正面図、図２１（b）は側面図、図２１（c）は撮影光学系４０５の断面図である。図２１（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１７２】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１７３】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０１７４】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０１７５】
なお、本発明は、その趣旨を逸脱しない範囲で様々な変形例をとることができる。
【産業上の利用可能性】
【０１７６】
以上のように、本発明にかかる結像光学系は、画角７５°〜２８°程度で、バックフォーカスが広角端焦点距離程度の高い結像性能を有する小型で薄型の結像光学系に有用である。
【符号の説明】
【０１７７】
Ｇ１          第１レンズ群
Ｇ２          第２レンズ群
Ｇ３          第３レンズ群
Ｇ４          第４レンズ群
Ｇ５          第５レンズ群
Ｌ１〜Ｌ９        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
0005726464.tif 000002
【図２】
0005726464.tif 000003
【図３】
0005726464.tif 000004
【図４】
0005726464.tif 000005
【図５】
0005726464.tif 000006
【図６】
0005726464.tif 000007
【図７】
0005726464.tif 000008
【図８】
0005726464.tif 000009
【図９】
0005726464.tif 000010
【図１０】
0005726464.tif 000011
【図１１】
0005726464.tif 000012
【図１２】
0005726464.tif 000013
【図１３】
0005726464.tif 000014
【図１４】
0005726464.tif 000015
【図１５】
0005726464.tif 000016
【図１６】
0005726464.tif 000017
【図１７】
0005726464.tif 000018
【図１８】
0005726464.tif 000019
【図１９】
0005726464.tif 000020
【図２０】
0005726464.tif 000021
【図２１】
0005726464.tif 000022